(57)【特許請求の範囲】
【請求項１】
記録領域において記録を行う記録ヘッドを搭載して移動するキャリッジと、
前記記録ヘッドの吐出口面をワイピングするワイパーを保持し、前記キャリッジの移動に追従して移動するワイパーホルダであって、前記吐出口面をワイピング可能なワイピング位置と前記吐出口面をワイピングできない退避位置とに移動可能なワイパーホルダと、
該ワイパーホルダに配され、前記ワイパーホルダを前記ワイピング位置に保持する係止位置と前記ワイパーホルダの係止状態を解除する解除位置とに移動可能な係止部材と、
前記キャリッジが前記記録領域から第１の位置まで移動することによって前記係止位置に移動した前記係止部材と係合する係合部と、
を備えるインクジェット記録装置において、
前記キャリッジが前記記録領域から前記第１の位置を越えて第２の位置まで移動したときに、前記係止部材を前記係止位置から前記解除位置へ移動させる係止解除部材を備えることを特徴とするインクジェット記録装置。
【請求項２】
前記ワイパーホルダは、前記キャリッジに当接してスライド移動するスライダであることを特徴とする請求項１に記載のインクジェット記録装置。
【請求項３】
前記係止部材は、前記キャリッジの移動方向と交差する面内で前記係止位置と前記解除位置とに回転移動することを特徴とする請求項１または２に記載のインクジェット記録装置。
【請求項４】
前記係止部材を前記解除位置から前記係止位置へ移動するように付勢する付勢部材を備えることを特徴とする請求項３に記載のインクジェット記録装置。
【請求項５】
前記係止解除部材は、前記係止部材を押圧することにより前記係止部材を前記係止位置から前記解除位置に移動させ、前記解除位置に移動した前記係止部材を保持するカム部材を有することを特徴とする請求項１ないし４のいずれか１項に記載のインクジェット記録装置。
【請求項６】
前記係止部材が前記係止位置から前記解除位置へ移動するように前記カム部材を付勢する付勢部材を有することを特徴とする請求項５に記載のインクジェット記録装置。
【請求項７】
前記キャリッジが前記第２の位置から前記記録領域へ移動するときに、前記係止部材が前記解除位置から前記係止位置へ移動することを規制する規制部材を有することを特徴とする請求項６に記載のインクジェット記録装置。
【請求項８】
前記ワイパーホルダは、前記吐出口面をキャッピングするためのキャップが配されていることを特徴とする請求項１ないし７のいずれか１項に記載のインクジェット記録装置。
【請求項９】
前記キャリッジは、カラーインクを吐出するカラーヘッドと、ブラックインクを吐出するブラックヘッドと、を搭載することを特徴とする請求項１ないし８のいずれか１項に記載のインクジェット記録装置。
【発明の詳細な説明】
【技術分野】
【０００１】
本発明は、記録ヘッドから被記録材へインクを吐出して記録を行うインクジェット記録装置に関する。
【背景技術】
【０００２】
回復機構部は、インクを吐出する記録ヘッドの目詰まり等を解消することで記録品位を正常な状態に維持するように回復するように機能する。この回復機構部は、吐出口からインクを吸引または吐出させるためのポンプ機構、キャップを記録ヘッドに当接させて吐出口を覆うキャッピング機構、ワイパーを摺擦させて吐出口面を拭掃するワイピング機構等を有している。従来の回復機構部の構成としては、記録ヘッドが搭載されたキャリッジの動きに追従して所定領域内だけで移動可能なスライダを有し、このスライダにキャップ及びワイパーが搭載された構成が開示されている（例えば、特許文献１、２参照）。
【先行技術文献】
【特許文献】
【０００３】
【特許文献１】特開２００６−３１５２６８号公報
【特許文献２】特開２００４−９０５５０号公報
【発明の概要】
【発明が解決しようとする課題】
【０００４】
しかしながら、特許文献１に開示された構成では、ワイパーが搭載されたスライダの高さ位置をロックレバー（係止手段）のみで規制することによって、記録ヘッドに対するワイパーの進入量を高精度に実現できる。しかし、キャリッジがスライダに向かって移動することによって、一旦、スライダに係止するロックレバーが作動させられた場合、キャリッジの反転動作時には必ずワイピング動作が行われてしまう。例えばキャップ開放動作時には必ずワイピング動作が行われることとなる。しかし、前回の記録動作から短い休止時間の後に再び記録動作を行う場合等のように、キャップ開放動作時にワイピング動作が不要なときもある。不要なワイピング動作を行うために、ワイパー耐久性が要求されることになる。また、ワイピング動作を行った後には、インクの混色を回避するための予備的な吐出動作（予備吐）が必須であり、不必要な廃インクの量を増加させてしまうという問題があった。
【０００５】
また、特許文献２に開示された構成では、ロックレバー（キャップスライダ係止手段）の作動位置が、被記録材に対する記録が行われる記録領域に対して、キャッピング位置よりも外側に設けられている。これによって、キャッピング動作後にワイピング動作が不要である場合には、キャリッジをキャッピング位置よりも外側に移動させることなく、記録領域へ移動させることで、ワイピング動作をせずにキャップ開放動作を行うことができる。このように、ワイピング動作の有無を選択できるように構成されている。しかし、ワイパー動作の切換え位置が新たに設けられることになるので、記録装置の幅の大型化を招いていていた。
【０００６】
このような事情に鑑みて、本発明の目的は、キャリッジの移動によってワイピング動作を行う構成において、ワイピング動作の有無を選択的に切り替えて、不要なワイピング動作を行わせないようにするインクジェット記録装置を提供することである。
【課題を解決するための手段】
【０００７】
本発明は、上記目的を達成するため、記録領域において記録を行う記録ヘッドを搭載して移動するキャリッジと、前記記録ヘッドの吐出口面をワイピングするワイパーを保持し、前記キャリッジの移動に追従して移動するワイパーホルダであって、前記吐出口面をワイピング可能なワイピング位置と前記吐出口面をワイピングできない退避位置とに移動可能なワイパーホルダと、該ワイパーホルダに配され、前記ワイパーホルダを前記ワイピング位置に保持する係止位置と前記ワイパーホルダの係止状態を解除する解除位置とに移動可能な係止部材と、前記キャリッジが前記記録領域から第１の位置まで移動することによって前記係止位置に移動した前記係止部材と係合する係合部と、を備えるインクジェット記録装置において、前記キャリッジが前記記録領域から前記第１の位置を越えて第２の位置まで移動したときに、前記係止部材を前記係止位置から前記解除位置へ移動させる係止解除部材を備えることを特徴とする。
【発明の効果】
【０００８】
本発明によれば、キャリッジの移動によってワイピング動作を行う構成において、ワイピング動作の有無を選択的に切り替えて、不要なワイピング動作を行わないようにするインクジェット記録装置を提供することができる。
【図面の簡単な説明】
【０００９】
【図１】インクジェット記録装置を示す斜視図である。
【図２】記録機構部を下方から見た斜視図である。
【図３】回復機構部の斜視図である。
【図４】インクジェット記録装置の記録動作の概略を示すブロック図である。
【図５】スライダがワイパー退避位置にある状態を示す斜視図である。
【図６】スライダがワイパー退避位置にある状態を示す一部破断正面図である。
【図７】スライダがワイピングトリガー位置に移動した状態を示す斜視図である。
【図８】スライダがワイピングトリガー位置に移動した状態を示す一部破断正面図である。
【図９】スライダがキャッピング位置に向けて移動する状態を示す斜視図である。
【図１０】スライダがキャッピング位置に移動した状態を示す一部破断正面図である。
【発明を実施するための形態】
【００１０】
以下、図面を参照して本発明の実施形態を具体的に説明する。なお、各図面を通して同一符号は、同一または対応部分を示すものである。また、同様の複数の部品または部位を同一番号に記号を付して示す場合に、全部または任意のものを指すときは符号を省いて番号のみで示す。
【００１１】
（インクジェット記録装置の概要）
図１に、実施形態のインクジェット記録装置を示す斜視図である。図１に示すように、インクジェット記録装置は、給紙部１０１と、搬送部１０２と、記録機構部１０３と、回復機構部１０４と、を備えている。給紙部１０１は、記録用紙等の被記録材を装置本体内へ供給する。搬送部１０２は、給紙部により供給された被記録材を搬送する。記録機構部１０３は、画像情報に基づいて被記録材に画像を記録する。回復機構部１０４は、記録される画像品位を保持するために記録ヘッドのインク吐出性能を維持するように回復動作を行う。
【００１２】
給紙部１０１に積載された被記録材は、不図示の給紙モータで駆動される給紙ローラによって１枚ずつ分離されて送り出され、搬送部１０２へ給送される。搬送部１０２に給送された被記録材は、不図示の搬送モータで駆動される搬送ローラ１２１及びピンチローラ１２２によって挟持され、記録部を通して搬送される。記録部では、記録機構部１０３によって被記録材に対する記録が行われる。主走査方向に移動するキャリッジ６に搭載された記録ヘッドを画像情報に基づいて駆動し、記録ヘッドの吐出口からインクを吐出することによって記録が行われる。記録された被記録材は、搬送ローラ１２１と同期駆動される排紙ローラ、及び排紙ローラに押圧される拍車に挟持されて装置本体外へ排出される。
【００１３】
記録機構部１０３は、主走査方向に往復動作するキャリッジ６と、キャリッジ６に搭載された記録カートリッジ３Ａ、３Ｂと、を備えている。キャリッジ６は、装置本体に設置されたガイドシャフト及びガイドレールに沿って往復動作可能に案内支持されている。キャリッジ６は、キャリッジモータによって駆動されるキャリッジベルト１２４を介して、被記録材に記録を行う記録動作時に記録領域を往復移動する。キャリッジ６は、キャリッジ６に搭載されたエンコーダセンサと装置本体側に張架されたエンコーダスケール１２５によってキャリッジ６の位置及び速度を検出することによって制御される。キャリッジ６の移動（主走査）に同期して行われる記録ヘッドの記録動作と、被記録材の所定ピッチごとの搬送（副走査）とを繰り返すことによって、被記録材全体の記録が行われる。
【００１４】
回復機構部１０４は、記録ヘッド５の吐出口の目詰まり等を解消することによって、記録画像の品位を正常な状態に維持するように回復する。この回復機構部１０４は、吐出口を覆うためのキャッピング機構、吐出口からインクを吸引するためのポンプ等の吸引機構、吐出口面を拭掃するためのワイピング機構等を備えている。本実施形態における回復機構部１０４は、キャリッジ６が回復機構部１０４に向かって移動してきたときに、キャリッジ６の移動に追従して、所定領域内でスライド移動可能なスライダ７を備えている。スライダ７は、キャッピング機構のキャップ１Ａ、１Ｂ、及びワイピング機構のワイパー８、９が搭載されており、ワイパーホルダとして機能している。
【００１５】
図２に、記録機構部１０３を下方から見た斜視図を示す。キャリッジ６上に２つの記録カートリッジ３Ａ、３Ｂが搭載されている。各記録カートリッジ３Ａ、３Ｂは記録ヘッド５とインクタンクとを一体化したインクカートリッジで構成されている。カラー用の記録カートリッジ３Ａには、複数色のインクを用いて記録する記録ヘッド５Ａが設けられている。１色用の記録カートリッジ３Ｂには、１色（例えばブラック）のインクで記録する記録ヘッド５Ｂが設けられている。記録ヘッド５Ａは、カラーインクを吐出するカラーヘッドである。記録ヘッド５Ｂは、ブラックインクを吐出するブラックヘッドである。記録ヘッド５Ａの吐出口面５１には、例えばシアン、マゼンタ及びイエローの３色のインクを吐出する吐出口列が形成されている。記録ヘッド５Ｂの吐出口面５２には、ブラック等の１色のインクを吐出する吐出口列が形成されている。
【００１６】
図３は、回復機構部１０４の斜視図である。ワイパーホルダとしてのスライダ７には、吐出口面５１、５２を覆うためのキャップ１Ａ、１Ｂを有するキャッピング機構と、吐出口面５１、５２を拭掃するためのワイパー８、９が搭載されている。
【００１７】
スライダ７の右側端部には、キャリッジ６がスライダ７に向かって移動してきたときに、キャリッジ６の側面が当接可能な突き当て部７ａが設けられている。スライダ７は、ワイパーによって記録ヘッドを拭掃することが可能なワイピング位置と、ワイパーが記録ヘッドから離れるワイパー退避位置と、に移動可能に設けられている。すなわち、スライダ７は、吐出口面をワイピング可能なワイピング位置と吐出口面をワイピングできない退避位置とに移動可能である。また、スライダ７は、キャリッジ６が回復機構部１０４に向かって移動してきたときに、キャリッジ６の移動に追従して所定領域で移動可能に構成されている。スライダ７は、スライダベース部１３に設けられたスライダカム１３ａ、１３ｂのカム面に沿って移動する。これによって、スライダ７は、キャリッジ６の移動方向に沿った各位置（キャッピング位置、ワイピングトリガー位置、ワイピング位置、ワイパー退避位置等）で、吐出口面５１、５２に対して所定の高さになるように制御される。
【００１８】
図４に、インクジェット記録装置の記録動作の概略を示すブロック図を示す。Ｂ１は各種信号を処理する制御部である。制御部Ｂ１のインターフェイス部に接続された、ＰＣ（Ｂ２）、または装置本体に設けられた操作パネルＢ３から、制御部Ｂ１に対して記録動作命令が送信される。制御部Ｂ１に対して記録動作命令を送信された際や、制御部Ｂ１の内部のタイマー等によって記録動作を行う際、制御部Ｂ１は、搬送モータドライバＢ４を介して搬送モータＢ５に対して電力を供給するよう指令を出す。この指令と同時に、制御部Ｂ１は、画像形成モータドライバＢ１２を介して画像形成部モータＢ１３に対しても電力を供給するように指令を出す。搬送モータＢ５には、主駆動伝達系Ｂ６が接続されており、主駆動伝達系Ｂ６を介して、記録動作時に被記録材を主体的に搬送する主搬送ローラユニットＢ７を駆動する。主搬送ローラユニットＢ７には、搬送駆動伝達系Ｂ８が接続されており、搬送駆動伝達系Ｂ８を介して、被記録材を搬送する搬送ローラユニットＢ９を駆動する。
【００１９】
また、画像形成部モータＢ１３には、画像形成部Ｂ１４が接続されている。画像形成部モータＢ１３を駆動することによって、画像形成部Ｂ１４が記録動作を行う。さらに、画像形成部Ｂ１４は、搬送駆動伝達系Ｂ８の搬送動作と協働して、積載された被記録材を一枚ずつ分離・給紙する給紙ローラユニットＢ１１を動作させるための給紙駆動伝達系Ｂ１０の動作を行う。給紙駆動伝達系Ｂ１０の動作によって、給紙ローラユニットＢ１１に対する動力伝達と非伝達とを切り替え、各種タイミングによって両者を選択的に切り替える。結果として、給紙ローラユニットＢ１１と搬送ローラユニットＢ９の同期駆動／非同期駆動を行うことが可能となる。
【００２０】
各モータの回転状態や負荷状態、被記録材の搬送状態は、記録装置の各所に設けられた、各種センサＢ１５によって検出され、信号の形で制御部Ｂ１に情報が送られる。制御部Ｂ１は、命令とセンサ情報に基づいて各モータを制御し、記録を行う。
【００２１】
（回復機構部の詳細）
次に、本実施形態における回復機構部１０４について説明する。図５は、スライダがワイパー退避位置にある状態を示す斜視図である。図６は、スライダがワイパー退避位置にある状態を示す一部破断正面図である。
【００２２】
図３に示すように、吐出口面５１、５２をキャッピングするためのキャップ１Ａ、１Ｂは、キャップホルダ２Ａ、２Ｂに保持されている。各キャップホルダ２Ａ、２Ｂは、２箇所の爪部によってスライダ７に取り付けられている。各キャップホルダ２Ａ、２Ｂとスライダ７との間には、キャップばねが取り付けられており、キャップ１Ａ、１Ｂ及びキャップホルダ２Ａ、２Ｂは、キャップばねによって上向きに付勢されている。キャップ１Ａ、１Ｂは、キャリッジ６の移動方向に所定間隔をおいて配置されている。第１のワイパー８は、キャリッジ６が往復動作する記録領域側の端部に配置されており、カラー記録ヘッド５Ａの吐出口面５１をワイピングする。第２のワイパー９は、キャップ１Ａ、１Ｂ間に配置されており、ブラック記録ヘッド５Ｂの吐出口面５２をワイピングする。図５に示すように、ワイパー８、９は、スライダがワイピング位置に移動することで、記録ヘッド５Ａ、５Ｂに対する進入量が高精度に制御される。
【００２３】
各キャップ１Ａ、１Ｂの内部は、不図示のチューブを通して、負圧発生機構である吸引ポンプ（不図示）に接続されている。キャップ１で記録ヘッド５の吐出口をキャッピングした状態で吸引ポンプを作動させることによってキャップ１内に負圧を発生させ、この負圧によって記録ヘッド５の吐出口からインクを吸引する。このような吸引動作で記録ヘッド５のインク流路内のインク中の気泡や固着インク等を排出することで、記録ヘッド５のインク吐出性能を維持することができる。
【００２４】
スライダ７の両側面には、合計４箇所に横方向へ突出した棒状の突出部（または軸部）７ｂ（図５、図６）が設けられている。４箇所の突出部７ｂは、スライダベース部１３に設けられたスライダカム１３ａ、１３ｂに当接されている。また、図６に示すように、スライダ７は、スライダベース部１３とスライダ７との間に張架されたスライダばね（引っ張りばね）１７によって、記録領域に向かって斜め下方へ付勢されている。したがって、スライダ７は、スライダばね１７の付勢力によって、各突出部７ｂをスライダカム１３ａ、１３ｂのカム面に当接させた状態で移動可能に取り付けられている。
【００２５】
図３に示すように、スライダ７上には、記録領域側端部における搬送方向の下流側の部位に、スライダ７をワイピング位置にロック（係止）するように動作する係止部材としてのロックレバー１６が設けられている。ロックレバー１６は、ワイピング位置にスライダ７を係止する係止位置と、スライダ７の係止状態を解除する解除位置と、に回転移動可能に設けられている。
【００２６】
ロックレバー１６は、スライダ７が後述するワイピングトリガー位置に移動したときに、スライダ７をスライダベース部１３に係止することによって、スライダ７の位置を規制するように作動する。ロックレバー１６は、キャリッジ６の移動方向と直交（交差）する面内で、回転移動可能に設けられている。ロックレバー１６は、その中央部が支持軸１６ｅによって回転移動可能に支持されている。また、ロックレバー１６は、支持軸１６ｅとの間でラジアル方向またはスラスト方向にばね力が付勢されることで、所定の摩擦力をもって回転移動可能に支持されており、所定値以上の外力トルクが作用しない限り、外力等で変位させられた係止位置に保持される。
【００２７】
スライダベース部１３には、ロックレバー１６の長手方向が鉛直方向と略平行（以下、垂直姿勢）になったときに、ロックレバー１６の下端部１６ａが係止可能なロック面１３ｄが設けられている。ロック面１３ｄは、係止位置に移動したロックレバーと係合する係合部である。また、キャリッジ６の下部には、ロックレバー１６の下端部１６ａとロック面１３ｄとの係合状態を解除するためのロック解除用の突起部６７が設けられている。
【００２８】
ロック解除用の突起部６７は、キャリッジ６が記録領域へ向かって移動するときに、係止位置（垂直姿勢）に保持されているロックレバー１６の上端部１６ｂに当接することによって、ロックレバー１６を時計回りに回転移動させる。これによって、ロックレバー１６の下端部１６ａとロック面１３ｄとの係合状態が解除される。また、スライダベース部１３には、スライダ７がワイピング位置に移動したときに、退避位置に回転移動されたロックレバー１６が係止位置に回転移動するのを規制する規制部材としての係止解除ガイド部１３ｅ（図７、図９）が設けられている。
【００２９】
スライダベース部１３には、ワイピング位置にロックされたスライダ７のロック状態（ワイパーロック）を解除するためのワイパーホルダ係止解除部材に含まれるカム部材としての係止解除カム１４（図６、図８、図１０）が設けられている。係止解除カム１４は、スライダベース部１３に揺動可能に支持されている。係止解除カム１４は、ワイパーホルダ係止解除部材に含まれる付勢部材としてのカムばね１５によって付勢されている。カムばね１５は、ロックレバー１６が係止解除カム１４に当接したときに、ロックレバー１６を解除位置に回転移動させるように、係止解除カム１４を付勢している。すなわち、係止解除カム１４は、ロックレバー１６の下端部１６ａが当接することで、ばねの付勢力で垂直姿勢にされているロックレバー１６を図１０における時計回りに回転移動させる。この状態のままでスライダ７を記録領域に向かって移動させたときに、スライダベース部１３に設けられた係止解除ガイド部１３ｅへロックレバー１６の下端部１６ａを導き、ワイピング動作を行うことなくワイパー退避位置へ戻すことができる。
【００３０】
（ワイピング動作有り時の動作）
次に、ワイピング動作有り時の動作を説明する。図７は、スライダがワイピングトリガー位置に移動した状態を示す斜視図である。図８は、スライダがワイピングトリガー位置に移動した状態を示す一部破断正面図である。記録動作中等に、キャリッジ６が回復機構部１０４のキャッピング領域へ移動して来ない状態では、ロックレバー１６が、垂直姿勢から時計回りに回転移動された解除位置（傾斜姿勢）に位置している（図５）。
【００３１】
キャリッジ６が、記録領域から回復機構部１０４に向かって移動したときに、キャリッジ６の側面部がスライダ７の突き当て部７ａに当接する。これによって、スライダ７は、キャリッジ６に追従して、キャリッジ６と共に図６に示す矢印Ａ方向へ移動する。スライダ７は、Ａ方向への移動に伴い、スライダカム１３ａ、１３ｂのカム面に沿って上昇する。
【００３２】
スライダ７が移動しているとき、ロックレバー１６は、ばねの付勢力で生じる押圧力によって、図５の反時計回りに回転移動される。そして、ロックレバー１６は、上述の摩擦力によって、下端部１６ａが、スライダベース部１３のロック面１３ｄに係止（ロック）可能な垂直姿勢に保持される。
【００３３】
続いて、キャリッジ６は、ロックレバー１６が係止解除カム１４と当接する前に移動方向を反転する。ロックレバー１６が係止解除カム１４と当接する前にキャリッジが反転する位置をワイピングトリガー位置と称呼する。キャリッジ６が移動方向を反転すると、スライダ７は、スライダばね１７の付勢力によってスライダカム１３ａ、１３ｂに沿って移動し、下降し始める。スライダ７が所定量下降した位置まで移動したとき、摩擦力で垂直姿勢である係止位置に保持されたロックレバー１６の下端部１６ａが、スライダベース部１３のロック面１３ｄに突き当てられる。これによって、スライダ７は、ワイピング位置に停止し、ロックレバー１６によってワイピング位置にロックされる。キャリッジ６がワイピング位置から更に記録領域に向かって移動すると、キャリッジ６は、スライダ７から離れていくことになる。
【００３４】
キャリッジ６が更に記録領域に向かって移動したときに、キャリッジ６に搭載された記録ヘッド５の吐出口面５１、５２に、スライダ７に搭載されたワイパー８、９が摺擦し、ワイピング動作が行われる。カラー記録ヘッド５Ａが第１のワイパー８によって拭掃され、ブラック記録ヘッド５Ｂが第２のワイパー９によって拭掃されることになる。
【００３５】
キャリッジ６が記録領域に向かって更に移動し、吐出口面５１、５２が２枚のワイパー８、９を通過した後、キャリッジ６の下部に設けられたロック解除用の突起部６７が、ロックレバー１６の上端部１６ｂを押圧する。ロックレバー１６は、突起部６７に押圧されることによって、支持軸１６ｅを中心として図５の時計回りに回転移動させられる。したがって、ロックレバー１６の下端部１６ａが、スライダベース部１３のロック面１３ｄから離れ、ロックレバー１６によってスライダ７がロックされた状態も解除される。ロックレバー１６によってロック状態が解除されたスライダ７は、スライダばね１７の付勢力によってスライダカム１３ａ、１３ｂの記録領域寄りの最下部まで移動され、図５及び図６に示したワイパー退避位置へ戻される。
【００３６】
（ワイピング動作無し時の動作）
次に、ワイピング動作無し時の動作を説明する。図９は、スライダがキャッピング位置に向けて移動する状態を示す斜視図である。図１０は、スライダがキャッピング位置まで移動した状態を示す一部破断正面図である。図９に示すように、キャリッジ６が、記録領域に対して、上述のワイピングトリガー位置よりも奥に移動すると、スライダ７のロックレバー１６は係止解除カム１４に当接する。キャリッジ６が更にＡ方向に移動すると、ばねの付勢力によって垂直姿勢にされているロックレバー１６は、カムばね１５によって付勢された係止解除カム１４の押圧力で、図５の時計回りに回転移動させられる。ロックレバー１６は、下端部１６ａがスライダベース部１３のロック面１３ｄから離れた解除位置に回転移動される。
【００３７】
そして、キャリッジ６と共にスライダ７が更にＡ方向に移動して、最上位置（キャッピング位置）まで到達したときに、スライダ７上のキャップ１Ａ、１Ｂが記録ヘッド５Ａ、５Ｂの吐出口面５１、５２に圧接され、吐出口を覆うキャッピング状態になる。このとき、ロックレバー１６は、係止解除カム１４によって押圧され、解除状態が保持される。また、スライダ７がキャッピング位置よりも、更にＡ方向に移動した場合にも、ロックレバー１６は解除状態が保持される。
【００３８】
キャリッジ６がキャッピング位置から移動方向を反転して、記録領域に向けて移動し始める。キャリッジ６が移動方向を反転すると、スライダ７はスライダばね１７の付勢力によってスライダカム１３ａ、１３ｂに沿って移動し、下降し始める。ロックレバー１６は、係止解除カム１４によって押圧された解除状態のまま、スライダベース部１３の係止解除ガイド部１３ｅへ受け渡される。
【００３９】
キャリッジ６が記録領域へ向かって更に移動するのに伴って、スライダ７がワイピング位置に移動したときに、ロックレバー１６は係止解除ガイド部１３ｅによって係止位置に回転移動することが規制される。このため、スライダ７がワイピング位置に移動したときに、スライダ７がワイピング位置に係止（ワイパーロック）されずにワイピング位置を通過する。
【００４０】
最終的に、ロックレバー１６は、ワイピング動作有り時の動作とは別の経路を通って、図５に示すワイパー退避位置に復帰する。
【００４１】
上述したように、本実施形態は、スライダ７がワイピング位置から、記録領域に対して離れるＡ方向に移動するときに、ワイピング位置にスライダ７をロックしたロックレバー１６を解除位置に回転移動させる係止解除カム１４及びカムばね１５を備える。これによって、ワイピング動作の有無を選択的に切り替えることができ、ワイピング動作を容易に最適なタイミングで制御することができる。
【符号の説明】
【００４２】
５  記録ヘッド
６  キャリッジ
７  スライダ
８、９  ワイパー
１３  スライダベース部
１３ｅ  係止解除ガイド部
１４  係止解除カム
１５  カムばね
１６  ロックレバー
１７  スライダばね
１０３  記録機構部
１０４  回復機構部
【図１】
0006053367.tif 000002
【図２】
0006053367.tif 000003
【図３】
0006053367.tif 000004
【図４】
0006053367.tif 000005
【図５】
0006053367.tif 000006
【図６】
0006053367.tif 000007
【図７】
0006053367.tif 000008
【図８】
0006053367.tif 000009
【図９】
0006053367.tif 000010
【図１０】
0006053367.tif 000011